(57)【要約】【課題】取水口を設けた岸壁に連なる凹部を掘削した河川取水構造において、簡単かつ安価な手段で凹部への砂の堆積を防止することである。【解決手段】取水口４を設けた岸壁２ａと連なる凹部３を覆う可撓性の膜部材７の外周を凹部３の側壁に取り付け、膜部材７の下側に給水口から水を供給して、その水圧で膜部材７を凹部３の底と上端との間で上下させるようにし、取水時には膜部材７を凹部３の底に下げ、それ以外の時は膜部材７を凹部３の上端まで上げることにより、膜部材７を凹部３の上端まで上げたときは、凹部３の部分で河川１の流速を低下させずに砂が沈降しないようにするとともに、取水中に膜部材７を凹部３の底に下げているときにその上面へ沈降して堆積する砂は、取水後に膜部材７を凹部３の上端まで上げたときに下流側へ流されるようにし、簡単かつ安価な手段で凹部３への砂の堆積を防止できるようにした。【選択図】図２
2006112186.tif 000002
【特許請求の範囲】
【請求項１】
河川の底に少なくとも一方の岸壁と連なる凹部を掘削し、この凹部と連なる岸壁に、下端が凹部の上端よりも下方に位置する取水口を設けた河川取水構造において、前記凹部を覆う膜部材と、この膜部材を前記凹部の底と上端との間で上下させる手段を設け、取水時には前記膜部材を前記凹部の底に下げ、それ以外の時は前記膜部材を前記凹部の上端まで上げるようにしたことを特徴とする河川取水構造。
【請求項２】
前記膜部材を上下させる手段が、膜部材の下側で前記凹部に流体を供給して、その流体圧で膜部材を上下させるものである請求項１に記載の河川取水構造。
【請求項３】
前記膜部材を可撓性のものとし、その外周を前記凹部の側壁に係止した請求項２に記載の河川取水構造。
【請求項４】
前記凹部の上端に、河川水を通すスクリーン部材を差し渡した請求項１乃至３のいずれかに記載の河川取水構造。
【発明の詳細な説明】
【技術分野】
【０００１】
本発明は、河川から上水や灌漑用等の水を取水する河川取水構造に関する。
【背景技術】
【０００２】
河川から上水や灌漑用等の水を取水する河川取水構造には、河川の底に岸壁と連なる凹部を掘削し、この凹部と連なる岸壁に、下端が凹部の上端よりも下方に位置する取水口を設け、河川の水位が低下しても十分な取水ができるようにしたものがある。
【０００３】
この種の河川取水構造では、凹部のある部分で水深が深くなって流速が遅くなるので、流水中に含まれる砂が沈降して凹部に堆積する。このように凹部に砂が堆積すると、取水口に多くの砂が入り込み、さらには取水口が閉塞される恐れがあるので、従来は、取水口の上流側を堰き止めて、人手またはパワーショベルによって凹部に堆積した砂を排出している。
【０００４】
なお、取水構造は少し異なるが、取水口を凹部の底から立ち上げた取水管の先端に設けたものもある（例えば、特許文献１参照）。特許文献１に記載されたものでは、凹部の下流側をスロープとし、このスロープに沿って堆積した砂を下流側に排出するように、油圧ジャッキで排砂板を駆動する排砂装置を設けている。
【０００５】
【特許文献１】実開昭６１−１１６８２４号公報
【発明の開示】
【発明が解決しようとする課題】
【０００６】
上述した取水口を設けた岸壁に連なる凹部を掘削した河川取水構造での凹部に堆積した砂の排出作業は、多大な労力と時間を要する問題がある。この種の河川取水構造には、特許文献１に記載された排砂装置を採用することもできるが、排砂装置が非常に高価なものとなる。
【０００７】
そこで、本発明の課題は、取水口を設けた岸壁に連なる凹部を掘削した河川取水構造において、簡単かつ安価な手段で凹部への砂の堆積を防止することである。
【課題を解決するための手段】
【０００８】
上記の課題を解決するために、本発明は、河川の底に少なくとも一方の岸壁と連なる凹部を掘削し、この凹部と連なる岸壁に、下端が凹部の上端よりも下方に位置する取水口を設けた河川取水構造において、前記凹部を覆う膜部材と、この膜部材を前記凹部の底と上端との間で上下させる手段を設け、取水時には前記膜部材を前記凹部の底に下げ、それ以外の時は前記膜部材を前記凹部の上端まで上げるようにした構成を採用した。
【０００９】
すなわち、取水口を設けた岸壁と連なる凹部を覆う膜部材と、この膜部材を凹部の底と上端との間で上下させる手段を設け、取水時には膜部材を凹部の底に下げ、それ以外の時は膜部材を凹部の上端まで上げることにより、膜部材を凹部の上端まで上げたときは、凹部の部分で河川の流速を低下させずに砂が沈降しないようにするとともに、取水中に膜部材を凹部の底に下げているときにその上面へ沈降して堆積する砂は、取水後に膜部材を凹部の上端まで上げたときに下流側へ流されるようにし、簡単かつ安価な手段で凹部への砂の堆積を防止できるようにした。
【００１０】
前記膜部材を上下させる手段を、膜部材の下側で前記凹部に流体を供給して、その流体圧で膜部材を上下させるものとすることにより、凹部に機械的な駆動装置を設けることなく、簡単な構成で膜部材を上下させることができる。
【００１１】
前記膜部材を可撓性のものとし、その外周を前記凹部の側壁に係止することにより、膜部材を簡単に凹部へ取り付けることができる。
【００１２】
前記凹部の上端に、河川水を通すスクリーン部材を差し渡すことにより、膜部材が凹部の上方へ突出するのを防止することができる。
【発明の効果】
【００１３】
本発明の河川取水構造は、取水口を設けた岸壁と連なる凹部を覆う膜部材と、この膜部材を凹部の底と上端との間で上下させる手段を設け、取水時には膜部材を凹部の底に下げ、それ以外の時は膜部材を凹部の上端まで上げることにより、膜部材を凹部の上端まで上げたときは、凹部の部分で河川の流速を低下させずに砂が沈降しないようにするとともに、取水中に膜部材を凹部の底に下げているときにその上面へ沈降して堆積する砂は、取水後に膜部材を凹部の上端まで上げたときに下流側へ流されるようにしたので、簡単かつ安価な手段で凹部への砂の堆積を防止することができる。
【００１４】
前記膜部材を上下させる手段を、膜部材の下側で凹部に流体を供給して、その流体圧で膜部材を上下させるものとすることにより、凹部に機械的な駆動装置を設けることなく、簡単な構成で膜部材を上下させることができる。流体としては水や空気を用いるのが好便である。
【００１５】
前記膜部材を可撓性のものとし、その外周を凹部の側壁に係止することにより、膜部材を簡単に凹部へ取り付けることができる。
【００１６】
前記凹部の上端に、河川水を通すスクリーン部材を差し渡すことにより、膜部材が凹部の上方へ突出するのを防止することができる。なお、スクリーン部材としては、桟部材、格子部材、メッシュ部材等を用いることができる。
【発明を実施するための最良の形態】
【００１７】
以下、図面に基づき、この発明の実施形態を説明する。この河川取水構造は、図１および図２に示すように、河川１の底に両方の岸壁２ａ、２ｂと連なる凹部３が掘削され、一方の岸壁２ａに、中心が概ね凹部３の上端に位置する円形の取水口４が設けられており、取水口４はヒューム管５で貯水槽６に連通されている。
【００１８】
前記凹部３のコンクリート打ちされた側壁には、可撓性の膜部材７が取り付けられ、その上端には、スクリーン部材としての桟部材８が差し渡されている。また、凹部３の底には河川１の幅方向の複数箇所で給水口９が設けられ、これらの給水口９が給水管１０によって、貯水槽６に立設された給水塔１１に連通されている。給水塔１１の中には内部の水を貯水槽６へ排出する排水ポンプ１２が設けられ、貯水槽６の中には給水塔１１に水を供給する給水ポンプ１３が設けられている。
【００１９】
前記取水口４から取水しないときは、給水ポンプ１３を作動させて給水塔１１の水位が上げられ、給水塔１１から給水管１０を通して、各給水口９から凹部３の膜部材７の下側に水が供給されて、図２（ａ）に示すように、その水圧によって膜部材７が上方へ押し上げられ、桟部材８の下面に密着するように凹部３の上端を覆う。このときは、凹部３の部分で河川１の流速が遅くなることはないので、流水中に含まれる砂が沈降することはない。
【００２０】
前記取水口４から取水するときは、排水ポンプ１２を作動させて給水塔１１の水位が下げられ、前記凹部３に供給された水が給水管１０から給水塔１１に戻されて、図２（ｂ）に示すように、膜部材７が凹部３の底に下げられる。このときは、凹部３の部分で河川１の流速が遅くなって、流水中から沈降する砂が膜部材７の上面に堆積するが、図中に一点鎖線で示すように、取水後に再び膜部材７を凹部３の上端に押し上げたときに、膜部材７の上に堆積した砂は下流側へ流される。
【００２１】
上述した実施形態では、河川の両方の岸壁と連なるように凹部を掘削したが、凹部は取水口が設けられた方の岸壁のみに連なるものとしてもよい。また、取水口は全体が凹部の上端よりも下側に位置するものであってもよい。
【００２２】
さらに、上述した実施形態では、膜部材を可撓性のものとしたが、剛性のある膜部材を凹部の底と上端との間で平行移動するように上下させることもできる。
【図面の簡単な説明】
【００２３】
【図１】河川取水構造の実施形態を示す縦断面図
【図２】ａ、ｂは、それぞれ取水しないときと取水するときにおける図１のII−II線に沿った断面図
【符号の説明】
【００２４】
１  河川
２ａ、２ｂ  岸壁
３  凹部
４  取水口
５  ヒューム管
６  貯水槽
７  膜部材
８  桟部材
９  給水口
１０  給水管
１１  給水塔
１２  排水ポンプ
１３  給水ポンプ
【図１】
2006112186.tif 000003
【図２】
2006112186.tif 000004